(57)【要約】      （修正有）【課題】パレットに載置された物品がパレットから脱落したり、パレットに対して位置ズレしたりするのを容易に防止することができるパレットを提供する。【解決手段】物品を搬送するために用いられるパレットであって、物品Ｘが載置されるパレット本体部２と、パレット本体部に取り付けられる取付部材３とを備え、パレット本体部は、凹状に形成されて少なくとも一つの取付部材を上方から挿入可能に構成された凹状挿入部２ａを上面に複数備えると共に、上面における二つの凹状挿入部によって挟まれた領域に、物品が載置された際に物品と重なる載置領域を備えており、取付部材は、凹状挿入部に挿入されてパレット本体部に取り付けられた状態でパレット本体部の上面よりも上方へ延出する取付部材延出部を備える。【選択図】図３
0003213999.tif 000002
【実用新案登録請求の範囲】
【請求項１】
物品を搬送するために用いられるパレットであって、
物品が載置されるパレット本体部と、該パレット本体部に取り付けられる取付部材とを備えており、
前記パレット本体部は、凹状に形成されて少なくとも一つの前記取付部材を上方から挿入可能に構成された凹状挿入部を上面に複数備えると共に、該上面における二つの凹状挿入部によって挟まれた領域に、物品が載置された際に該物品と重なる載置領域を備えており、
前記取付部材は、前記凹状挿入部に挿入されてパレット本体部に取り付けられた状態でパレット本体部の上面よりも上方へ延出する取付部材延出部を備えるパレット。
【請求項２】
前記凹状挿入部は、一方向に延びる第一溝部、及び、前記一方向に交差する他方向に延びる第二溝部の少なくとも一方から構成されており、
前記第一溝部は、前記他方向に間隔を空けて少なくとも二つ形成され、前記第二溝部は、前記一方向に間隔を空けて少なくとも二つ形成されており、
パレット本体部の上面における二つの第一溝部の間の領域、及び、二つの第二溝部の間の領域の少なくとも一方の領域に前記載置領域が形成される請求項１に記載のパレット。
【請求項３】
前記凹状挿入部は、パレット本体部の前記上面における外周縁から該上面の内側に向かって広がる環状領域に形成されており、
該環状領域の面積は、パレット本体部の前記上面の面積に対して、８０％以下であり、
環状領域における凹状挿入部が占める面積割合は、６０％以下である請求項１又は２に記載のパレット。
【請求項４】
前記第一溝部及び第二溝部の少なくとも一方は、パレット本体部の上面における載置領域の内側と外側とを連ねるように連続的に形成される請求項２に記載のパレット。
【請求項５】
請求項１乃至４の何れか一項に記載のパレットと、該パレットに載置された物品を収容するようにパレット上に配置される収容部材とを備えており、
前記取付部材は、前記収容部材の内側に配置されるコンテナ。
【請求項６】
前記収容部材によって形成される物品を収容する空間に、保冷材が配置される請求項５に記載のコンテナ。
【考案の詳細な説明】
【技術分野】
【０００１】
本考案は、物品の搬送に用いられるパレットであって、物品を載置可能に構成されたパレットに関する。また、該パレットを用いたコンテナに関する。
【背景技術】
【０００２】
例えば、大型で重量のある物品を搬送する際には、斯かる物品を載置可能に構成されたパレットが用いられる。そして、パレットに載置された物品を移動させる際には、フォークリフト等を用いて、パレットと共に物品が移動される。このように、パレットと共に物品を移動させる際には、移動に伴う振動等によって物品がパレットから脱落したり、パレットに対して物品が位置ズレしたりする虞がある。
【０００３】
このため、物品の脱落や位置ズレを防止するべく、種々の手段が講じられている。例えば、物品の一部（例えば、包装材）と、パレットとを連結部材（例えば、ボルトとナット）を用いて連結し、パレット上に物品を固定する方法が挙げられる。また、他の方法としては、例えば、物品の下端外周部から下方へ延出する物品延出部を、該下端外周部に沿って複数形成し、パレット上に物品を載置する際に、複数の物品延出部によって囲まれた空間にパレットの上端部を挿入することで、物品がパレットに対して位置ズレしないようにする方法が挙げられる（特許文献１参照）。更に他の方法としては、パレットの上端外周部から上方へ延出するパレット延出部を、該上端外周部に沿って複数形成し、パレット上に物品を載置する際に、複数のパレット延出部によって囲まれた空間に物品の下端部を挿入することで、物品がパレットに対して位置ズレしないようにする方法が挙げられる（特許文献２参照）。
【先行技術文献】
【特許文献】
【０００４】
【特許文献１】特開２００７−２０４１１９号公報
【特許文献２】特開２００５−１５３９１７号公報
【考案の概要】
【考案が解決しようとする課題】
【０００５】
しかしながら、上記のように、複数の物品延出部を物品に形成する方法では、パレットのサイズによっては、複数の物品延出部で囲まれた空間にパレットの上端部が収まらない虞がある。また、パレットのサイズによっては、複数の物品延出部によって囲まれた空間にパレットの上端部が収容された状態で、パレットの上端部と複数の物品延出部とが離れすぎて、物品の位置ズレを効果的に防止できない虞がある。
【０００６】
また、複数のパレット延出部をパレットに形成する方法では、物品のサイズによっては、複数のパレット延出部で囲まれた空間に物品の下端部が収まらない虞がある。また、物品のサイズによっては、複数のパレット延出部で囲まれた空間に物品の下端部が収容された状態で、物品の下端部と複数のパレット延出部とが離れすぎて、物品の位置ズレを効果的に防止できない虞がある。
【０００７】
そこで、本考案は、パレットに載置された物品がパレットから脱落したり、パレットに対して位置ズレしたりするのを容易に防止することができるパレットを提供すると共に、該パレットを用いて形成されたコンテナを提供することを課題とする。
【課題を解決するための手段】
【０００８】
本考案に係るパレットは、物品を搬送するために用いられるパレットであって、
物品が載置されるパレット本体部と、該パレット本体部に取り付けられる取付部材とを備えており、前記パレット本体部は、凹状に形成されて少なくとも一つの前記取付部材を上方から挿入可能に構成された凹状挿入部を上面に複数備えると共に、該上面における二つの凹状挿入部によって挟まれた領域に、物品が載置された際に該物品と重なる載置領域を備えており、前記取付部材は、前記凹状挿入部に挿入されてパレット本体部に取り付けられた状態でパレット本体部の上面よりも上方へ延出する取付部材延出部を備える。
【０００９】
斯かる構成によれば、凹状に形成されて少なくとも一つの取付部材が上方から挿入される凹状挿入部を複数備える。また、パレット本体部の上面における二つの凹状挿入部によって挟まれた領域に物品を載置する載置領域が形成される。更に、取付部材は、凹状挿入部に挿入されてパレット本体部に取り付けられた状態でパレット本体部の上面よりも上方へ延出する取付部材延出部を備える。
【００１０】
これにより、二つの凹状挿入部のそれぞれに挿入された各取付部材は、二つの凹状挿入部によって載置領域が挟まれる方向（以下、規制方向とも記す）において、載置領域に載置される物品と重なることになる。このため、パレット本体部に載置された物品に対して規制方向に移動させるような力が加わった際にも、取付部材延出部によって規制方向への物品の移動が規制される。このため、パレット本体部からの物品の脱落やパレット本体部上での物品の位置ズレを防止することができる。
【００１１】
前記凹状挿入部は、一方向に延びる第一溝部、及び、前記一方向に交差する他方向に延びる第二溝部の少なくとも一方から構成されており、前記第一溝部は、前記他方向に間隔を空けて少なくとも二つ形成され、前記第二溝部は、前記一方向に間隔を空けて少なくとも二つ形成されており、パレット本体部の上面における二つの第一溝部の間の領域、及び、二つの第二溝部の間の領域の少なくとも一方の領域に前記載置領域が形成されることが好ましい。
【００１２】
斯かる構成によれば、凹状挿入部は、前記一方向に延びる第一溝部、及び、前記他方向に延びる第二溝部の少なくとも一方から構成される。また、第一溝部は、前記他方向に間隔を空けて少なくとも二つ形成され、第二溝部は、前記一方向に間隔を空けて少なくとも二つ形成される。更に、パレット本体部の上面における二つの第一溝部の間の領域、及び、二つの第二溝部の間の領域の少なくとも一方に載置領域が形成される。
【００１３】
これにより、凹状挿入部が溝状に形成されるため、載置領域の面積（即ち、物品の大きさに）に応じて、第一溝部や第二溝部の延びる方向の任意の位置に取付部材を挿入することができる。つまり、物品の大きさに影響されることなく、パレット本体部に取付部材を取り付けることができるため、パレット本体部からの物品の脱落やパレット本体部上での物品の位置ズレをより効果的に防止することができる。
【００１４】
前記凹状挿入部は、パレット本体部の前記上面における外周縁から該上面の内側に向かって広がる環状領域に形成されており、該環状領域の面積は、パレット本体部の前記上面の面積に対して、８０％以下であり、環状領域における凹状挿入部が占める面積割合は、６０％以下であることが好ましい。
【００１５】
斯かる構成によれば、パレット本体部の前記上面に十分な強度を与えることができる。具体的には、パレット本体部の前記上面には、物品が載置されるため、該上面には物品の重量が加わることになる。このため、パレット本体部の前記上面には、物品の重量によって破損しない程度の強度が要求される。そこで、凹状挿入部が形成される環状領域の面積の割合を、パレット本体部の前記上面の面積に対して上記の範囲に構成し、環状領域における凹状挿入部の占める面積割合を上記の範囲に構成することで、パレット本体部の前記上面に十分な強度を与えることができる。
【００１６】
前記第一溝部及び第二溝部の少なくとも一方は、パレット本体部の上面における載置領域の内側と外側とを連ねるように連続的に形成されることが好ましい。
【００１７】
斯かる構成によれば、第一溝部及び第二溝部の少なくとも一方は、パレット本体部の上面における載置領域の内側と外側とを連ねるように連続的に形成される。
【００１８】
これにより、パレット本体部上に保冷材を配置した際に、保冷材によって冷やされた空気が第一溝部及び第二溝部の少なくとも一方を伝って載置領域に載置された物品の下に流入する。このため、物品の温度上昇の抑制や、物品の冷却を効果的に行うことができる。
【００１９】
本考案に係るコンテナは、上記何れかのパレットと、該パレットに載置された物品を収容するようにパレット上に配置される収容部材とを備えており、前記取付部材は、前記収容部材の内側に配置される。
【００２０】
斯かる構成によれば、上記何れかのパレットと、該パレットに載置された物品を収容するようにパレット上に配置される収容部材とを備えており、取付部材は、収容部材の内側に配置される。これにより、収容部材の内側で、パレット本体部上での物品の位置ズレを防止することができる。
【００２１】
前記収容部材によって形成される物品を収容する空間に、保冷材が配置されることが好ましい。
【００２２】
斯かる構成によれば、収容部材によって形成される物品を収容する空間に、保冷材が配置される。ここで、収容部材の内側では、パレット本体部上での物品の位置ズレが取付部材によって防止されるため、収容部材内において物品が移動して意図せずに保冷材と接触するのを防止することができる。
【考案の効果】
【００２３】
以上のように、本考案によれば、パレットに載置された物品がパレットから脱落したり、パレットに対して位置ズレしたりするのを容易に防止することができる。
【図面の簡単な説明】
【００２４】
【図１】本考案の一実施形態に係るコンテナの構成を示した斜視図。
【図２】同実施形態に係るパレットを構成するパレット本体部を上方から見た図。
【図３】同実施形態に係るパレット上に物品が載置された状態を示す斜視図。
【図４】同実施形態に係るパレット上に物品が載置された状態における上下方向に沿った断面図。
【図５】本考案の他の実施形態に係るパレットを構成する取付部材を上下方向に交差する方向から見た図。
【図６】更に他の実施形態に係るパレットを構成する取付部材を上下方向に交差する方向から見た図。
【図７】更に他の実施形態に係るパレットを構成する取付部材の斜視図。
【考案を実施するための形態】
【００２５】
以下に、本考案に係るパレットの一実施形態について、図面を参照しつつ説明するが、本考案は、下記の実施形態の構成に限定されるものではない。なお、以下の説明では、各図の座標軸におけるｘ軸に沿った方向を一方向とし、各図の座標軸におけるｙ軸に沿った方向を他方向とし、各図の座標軸におけるｚ軸に沿った方向を上下方向として説明する。
【００２６】
本考案の一実施形態であるパレット１は、図１に示すように、物品Ｘが載置されるパレット本体部２と、該パレット本体部２に取り付けられる取付部材３とを備える。また、パレット１は、パレット１に載置された物品Ｘを収容するようにパレット１上に配置される収容部材Ｙと共に、コンテナ１０を構成するものである。本実施形態では、収容部材Ｙは、断熱材を用いて形成される断熱部Ｙ１と、物品Ｘ及び断熱部Ｙ１を収容する収容部材本体部Ｙ５とを備える。
【００２７】
パレット本体部２は、図２に示すように、上面に、凹状に形成されて少なくとも一つの取付部材３を上方から挿入可能に構成された凹状挿入部２ａを複数備える。具体的には、凹状挿入部２ａは、パレット本体部２の前記上面における外周縁から該上面の内側に向かって広がる環状領域（後述する第二方向一端側領域Ａ１、第二方向他端側領域Ａ２、第一方向一端側領域Ａ３、及び、第一方向他端側領域Ａ４から構成される領域）に形成される。そして、環状領域の内側には、凹状挿入部２ａが形成されない領域（以下では、補強領域とも記す）が形成される。環状領域の面積は、パレット本体部２の前記上面の面積に対して、８０％以下であることが好ましい。即ち、補強領域の面積は、パレット本体部２の前記上面の面積に対して、２０％以上であることが好ましい。
【００２８】
また、パレット本体部２は、一方向（以下では、第一方向とも記す）の両端部に、第一方向におけるパレット本体部２の外側へ向けて開放すると共に上方へ向けて開放する開放部２ｄを備える。該開放部２ｄは、第一方向に交差する他方向（以下では、第二方向とも記す）に延びるように形成される。
【００２９】
前記凹状挿入部２ａは、第一方向に延びる第一溝部２ｂと、第二方向に延びる第二溝部２ｃとから構成される。
【００３０】
第一溝部２ｂは、第二方向に間隔を空けて少なくとも二つ形成される。具体的には、第一溝部２ｂは、パレット本体部２の上面における第二方向の中央部よりも一端側の領域（以下では、第二方向一端側領域とも記す）Ａ１、及び、該中央部よりも他端側の領域（以下では、第二方向他端側領域とも記す）Ａ２のそれぞれに、複数（本実施形態では、３つ）形成される。これにより、第二方向一端側領域Ａ１と第二方向他端側領域Ａ２との間には、第一溝部２ｂを備えない領域が形成される。また、各第一溝部２ｂは、パレット本体部２の上面の第一方向の両端間の略全域に亘って連続的に形成され、第一方向の両端部が開放部２ｄと連通する。
【００３１】
第二溝部２ｃは、第一方向に間隔を空けて少なくとも二つ形成される。具体的には、第二溝部２ｃは、パレット本体部２の上面における第一方向の中央部よりも一端側の領域（以下では、第一方向一端側領域とも記す）Ａ３、及び、該中央部よりも他端側の領域（以下では、第一方向他端側領域とも記す）Ａ４のそれぞれに、複数（本実施形態では、３つ）形成される。これにより、第一方向一端側領域Ａ３と第一方向他端側領域Ａ４との間には、第二溝部２ｃを備えない領域が形成される。また、各第二溝部２ｃは、パレット本体部２の上面の第二方向の両端部２ｅ，２ｅ間の全域に亘って連続的に形成される。
【００３２】
第一溝部２ｂ及び第二溝部２ｃの少なくとも一方は、上下方向に延びる内面の一部が内側へ向かって突出した溝内突出部２ｆを備える。本実施形態では、第二方向におけるパレット本体部２の両端部２ｅ，２ｅに隣接する各第一溝部２ｂは、第一方向一端側領域Ａ３と第一方向他端側領域Ａ４との間に、溝内突出部２ｆを備える。
【００３３】
また、パレット本体部２は、物品が載置された際に該物品と重なる載置領域Ａ５を備える。つまり、該載置領域Ａ５は、物品の大きさに対応した面積となるものである。載置領域Ａ５は、パレット本体部２の上面における二つの凹状挿入部２ａによって挟まれた領域に形成される。具体的には、載置領域Ａ５は、第二方向一端側領域Ａ１に形成される一つの凹状挿入部２ａ（第一溝部２ｂ）と、第二方向他端側領域Ａ２に形成される一つの凹状挿入部２ａ（第一溝部２ｂ）との間に形成される。また、載置領域Ａ５は、第一方向一端側領域Ａ３に形成される一つの凹状挿入部２ａ（第二溝部２ｃ）と、第一方向他端側領域Ａ４形成される一つの凹状挿入部２ａ（第二溝部２ｃ）との間に形成される。つまり、載置領域Ａ５は、第二方向において対向する二つの第一溝部２ｂと、第一方向において対向する二つの第二溝部２ｃとで囲まれた領域に形成される。そして、載置領域Ａ５の内側と外側とを連ねるように、第一溝部２ｂ及び第二溝部２ｃの少なくとも一方（本実施形態では、両方）が形成される（換言すれば、載置領域Ａ５の内側に凹状挿入部２ａの一部が位置する）。
【００３４】
取付部材３は、図３，４に示すように、板状の形状を有するものである。また、取付部材３は、凹状挿入部２ａ（本実施形態では、第一溝部２ｂ）に上方から挿入可能に構成される。また、取付部材３は、凹状挿入部２ａ（本実施形態では、第一溝部２ｂ）に挿入されてパレット本体部２に取り付けられた状態でパレット本体部２の上面（載置領域Ａ５）よりも上方へ延出する取付部材延出部３ａを備える。つまり、取付部材３は、凹状挿入部２ａ（本実施形態では、第一溝部２ｂ）に挿入された際に凹状挿入部２ａ（本実施形態では、第一溝部２ｂ）の内側に位置する取付部材挿入部３ｂを備え、該取付部材挿入部３ｂ以外の部分によって取付部材延出部３ａが形成される。
【００３５】
また、取付部材３は、上下方向に交差する方向（本実施形態では、第一方向）において、載置領域Ａ５に載置される物品Ｘと重なるように配置される。また、取付部材３は、第二方向において載置領域Ａ５（即ち、物品Ｘ）を挟むように配置される。また、取付部材３は、載置領域Ａ５に載置される物品Ｘの外周（即ち、載置領域Ａ５の外周）に沿って間隔を空けて複数配置される。
【００３６】
図１に戻り、前記断熱部Ｙ１は、板状に形成された複数（具体的には、５枚）の断熱パネルＹ２を組み合わせることで形成される。また、断熱部Ｙ１は、箱状に形成されると共に内側の空間を下方へ開放する開口部Ｙ３を下端部に備える。そして、該開口部Ｙ３から物品Ｘを内側の空間に収容可能に構成される。また、断熱部Ｙ１は、下端外周部の一部が切り欠かれるように形成された断熱部切欠部Ｙ４を備える。該断熱部切欠部Ｙ４は、下方へ向かって開放する凹状に形成される。そして、断熱部切欠部Ｙ４は、パレット本体部２が備える溝内突出部２ｆを下方から差し込み可能に構成される。
【００３７】
前記収容部材本体部Ｙ５は、箱状に形成されると共に内側の空間を下方へ開放する開口部Ｙ６を下端部に備える。そして、該開口部Ｙ６から断熱部Ｙ１を内側の空間に収容可能に構成される。収容部材本体部Ｙ５を構成する材料としては、特に限定されるものではなく、段ボール等を用いることができる。
【００３８】
そしてコンテナ１０を形成する際には、図３に示すようにパレット本体部２に物品Ｘを載置すると共に、複数の（具体的には、４つの）取付部材３を凹状挿入部２ａ（第一溝部２ｂ）に挿入してパレット本体部２に取り付ける。この際、取付部材延出部３ａが第二方向において物品Ｘと重なった状態となる。図１に戻り、更に、断熱部Ｙ１の内側の空間にパレット本体部２上の物品Ｘと取付部材３とを収容し、その断熱部Ｙ１を収容部材本体部Ｙ５の内側の空間に収容しつつ、断熱部Ｙ１の下端部（開口部Ｙ３）及び収容部材本体部Ｙ５の下端部（開口部Ｙ６）をパレット本体部２に固定する。この際、断熱部Ｙ１の下端部（開口部Ｙ３）及び収容部材本体部Ｙ５の下端部（開口部Ｙ６）は、少なくとも一部がパレット本体部２の凹状挿入部２ａ（具体的には、第一溝部２ｂ）に挿入される。具体的には、断熱部Ｙ１の下端部における第一方向に延びる部分であって断熱部切欠部Ｙ４を備える部分と、その部分に重なる収容部材本体部Ｙ５の下端部がパレット本体部２の最も外側に位置する第一溝部２ｂに挿入される。また、断熱部Ｙ１の下端部における第二方向に延びる部分と、その部分に重なる収容部材本体部Ｙ５の下端部がパレット本体部２の開放部２ｄに配置される。これにより、コンテナ１０が形成される。
【００３９】
以上のように、本考案に係るパレット、及び、コンテナは、パレットに載置された物品がパレットから脱落したり、パレットに対して位置ズレしたりするのを容易に防止することができる。
【００４０】
即ち、凹状に形成されて少なくとも一つの取付部材３が上方から挿入される凹状挿入部２ａを複数備える。また、パレット本体部２の上面における二つの凹状挿入部２ａによって挟まれた領域に物品Ｘを載置する載置領域Ａ５が形成される。更に、取付部材３は、凹状挿入部２ａに挿入されてパレット本体部２に取り付けられた状態でパレット本体部２の上面よりも上方へ延出する取付部材延出部３ａを備える。
【００４１】
これにより、二つの凹状挿入部２ａのそれぞれに挿入された各取付部材３は、二つの凹状挿入部２ａによって載置領域Ａ５が挟まれる方向（以下、規制方向とも記す）において、載置領域Ａ５に載置される物品Ｘと重なることになる。このため、パレット本体部２に載置された物品Ｘに対して規制方向に移動させるような力が加わった際にも、取付部材延出部３ａによって規制方向への物品Ｘの移動が規制される。このため、パレット本体部２からの物品Ｘの脱落やパレット本体部２上での物品Ｘの位置ズレを防止することができる。
【００４２】
また、凹状挿入部２ａは、第一方向に延びる第一溝部２ｂ、及び、第二方向に延びる第二溝部２ｃの少なくとも一方から構成される。また、第一溝部２ｂは、第二方向に間隔を空けて少なくとも二つ形成され、第二溝部２ｃは、第一方向に間隔を空けて少なくとも二つ形成される。更に、パレット本体部２の上面における二つの第一溝部２ｂの間の領域、及び、二つの第二溝部２ｃの間の領域の少なくとも一方に載置領域Ａ５が形成される。
【００４３】
これにより、凹状挿入部２ａが溝状に形成されるため、載置領域Ａ５の面積（即ち、物品Ｘの大きさに）に応じて、第一溝部２ｂや第二溝部２ｃの延びる方向の任意の位置に取付部材３を挿入することができる。つまり、物品Ｘの大きさに影響されることなく、パレット本体部２に取付部材３を取り付けることができるため、パレット本体部２からの物品Ｘの脱落やパレット本体部２上での物品Ｘの位置ズレをより効果的に防止することができる。
【００４４】
また、パレット本体部２の前記上面には、物品Ｘが載置されるため、該上面には物品Ｘの重量が加わることになる。このため、パレット本体部２の前記上面には、物品Ｘの重量によって破損しない程度の強度が要求される。そこで、凹状挿入部２ａが形成される環状領域（第二方向一端側領域Ａ１、第二方向他端側領域Ａ２、第一方向一端側領域Ａ３、及び、第一方向他端側領域Ａ４から構成される領域）の面積の割合を、パレット本体部２の前記上面の面積に対して上記の範囲に構成することによって、環状領域の内側に補強領域を形成すると共に、環状領域における凹状挿入部２ａの占める面積割合を上記の範囲に構成することで、パレット本体部の前記上面に十分な強度を与えることができる。
【００４５】
また、第一溝部２ｂ及び第二溝部２ｃの少なくとも一方は、パレット本体部２の上面における載置領域Ａ５の内側と外側とを連ねるように連続的に形成される。これにより、パレット本体部２上に保冷材を配置した際に、保冷材によって冷やされた空気が第一溝部２ｂ及び第二溝部２ｃの少なくとも一方を伝って載置領域Ａ５に載置された物品Ｘの下に流入する。このため、物品Ｘの温度上昇の抑制や、物品Ｘの冷却を効果的に行うことができる。
【００４６】
また、上記何れかのパレット１と、該パレット１に載置された物品Ｘを収容するようにパレット１上に配置される収容部材Ｙとを備えており、取付部材３は、収容部材Ｙの内側に配置される。これにより、収容部材Ｙの内側で、パレット本体部２上での物品Ｘの位置ズレを防止することができる。
【００４７】
なお、本考案に係るパレット、及び、コンテナは、上記実施形態に限定されるものではなく、本考案の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、他の各種の変更例に係る構成や方法等を任意に選択して、上記した実施形態に係る構成や方法等に採用してもよいことは勿論である。
【００４８】
例えば、上記実施形態では、凹状挿入部２ａは、第一溝部２ｂと第二溝部２ｃとから構成されているが、これに限定されるものではなく、例えば、第一溝部２ｂのみ、又は、第二溝部２ｃのみから構成されてもよい。
【００４９】
また、上記実施形態では、凹状挿入部２ａは、溝状に形成されているが、これに限定されるものではなく、例えば、円形状等の開口部を有する孔状に形成されてもよい。斯かる場合には、孔状の凹状挿入部２ａが第一方向、及び／又は、第二方向に沿って複数配列されるように構成されてもよい。
【００５０】
また、上記実施形態では、取付部材３は、板状に形成されているが、これに限定されるものではなく、例えば、図５に示すように、パレット本体部２に載置された物品Ｘと同程度高さを有する三角形状に形成されてもよい。斯かる取付部材３０では、中央部に貫通孔３０ａが形成されることが好ましい。また、取付部材３の他の形状としては、図６に示すように、パレット本体部２に載置された物品Ｘと同程度高さを有するＸ字状に形成されてもよい。斯かる取付部材３１は、帯状に延びる二つ板材３１ａを中央部で回動自在に連結することで形成することができる。これにより、二つ板材３１ａを回動させて重ねることができるため、取付部材３１を保管するスペースを小さくすることができる。また、取付部材３の更に他の形状としては、図７に示すように、高さ方向に直交する断面がＬ字状に形成されてもよい。斯かる取付部材３２では、二つの方向において物品Ｘの移動を規制することができる。
【００５１】
また、上記実施形態では、第一溝部２ｂのみに取付部材３が挿入されるように構成されているが、これに限定されるものではなく、例えば、第一溝部２ｂに加えて、第二溝部２ｃにも取付部材３が挿入されてもよく、第二溝部２ｃのみに取付部材３が挿入されてもよい。
【００５２】
また、上記実施形態では、収容部材Ｙは、断熱部Ｙ１と収容部材本体部Ｙ５とから構成されているが、これに限定されるものではなく、例えば、断熱部Ｙ１、又は、収容部材本体部Ｙ５の何れか一方のみから構成されてもよい。
【００５３】
また、上記実施形態では、物品Ｘは、コンテナ１０に収容された状態で、搬送されるように構成されているが、これに限定されるものではなく、例えば、収容部材Ｙに収容されることなく、搬送されてもよい。
【００５４】
また、上記実施形態では、断熱部Ｙ１は、下端部がパレット本体部２の最も外側に位置する凹状挿入部２ａ（第一溝部２ｂ）内、及び、開放部２ｄ内に配置されるように構成されているが、これに限定されるものではなく、例えば、物品Ｘのサイズに合わせて他の第一溝部２ｂ内、及び／又は、第二溝部２ｃ内に配置されてもよい。例えば、断熱部Ｙ１を構成する各断熱パネルＹ２を物品Ｘのサイズに合わせた大きさに裁断し、物品Ｘの外周に沿って、任意の第一溝部２ｂ内、及び／又は、第二溝部２ｃ内に、下端部を配置するように構成してもよい。
【００５５】
また、コンテナ１０が形成された状態において、断熱部Ｙ１の内側に、保冷材（図示せず）が配置されてもよい。具体的には、パレット本体部２の凹状挿入部２ａ（第一溝部２ｂ、及び／又は、第二溝部２ｃ）に、保冷材を差し込んだ状態で、物品Ｘと、取付部材３と、保冷材とを断熱部Ｙ１内に収容するように構成されてもよい。又は、箱状の断熱部Ｙ１の内側に保冷材を取り付けた状態で、物品Ｘと、取付部材３とを断熱部Ｙ１内に収容するように構成されてもよい。
【００５６】
斯かる構成によれば、収容部材Ｙによって形成される物品Ｘを収容する空間に、保冷材が配置される。ここで、収容部材Ｙの内側では、パレット本体部２上での物品Ｘの位置ズレが取付部材３によって防止されるため、収容部材Ｙ内において物品Ｘが移動して意図せずに保冷材と接触するのを防止することができる。
【００５７】
また、パレット本体部２、取付部材３、及び、断熱部Ｙ１の少なくとも一つは、軽量化を図るため、合成樹脂発泡体から形成されてもよい。該合成樹脂発泡体を構成する樹脂としては、特に限定されるものではなく、ポリスチレン系樹脂、ポリエチレン系樹脂、エチレン−スチレン共重合体、ポリプロピレン樹脂等が挙げられる。
【符号の説明】
【００５８】
１…パレット、２…パレット本体部、２ａ…凹状挿入部、２ｂ…第一溝部、２ｃ…第二溝部、２ｄ…開放部、２ｆ…溝内突出部、３…取付部材、３ａ…取付部材延出部、３ｂ…取付部材挿入部、１０…コンテナ、Ａ１…第二方向一端側領域、Ａ２…第二方向他端側領域、Ａ３…第一方向一端側領域、Ａ４…第一方向他端側領域、Ａ５…載置領域、Ｘ…物品、Ｙ…収容部材、Ｙ１…断熱部、Ｙ２…断熱パネル、Ｙ４…断熱部切欠部、Ｙ５…収容部材本体部
【図１】
0003213999.tif 000003
【図２】
0003213999.tif 000004
【図３】
0003213999.tif 000005
【図４】
0003213999.tif 000006
【図５】
0003213999.tif 000007
【図６】
0003213999.tif 000008
【図７】
0003213999.tif 000009